(57)【要約】【課題】複数の原稿のスキャン動作において重送を検知された原稿の画像読取を適切に行う。【解決手段】原稿読取装置５は、原稿が載置されるプラテンガラス２０と、読取位置へ原稿を搬送する原稿搬送部７と、載置読取としてプラテンガラス２０に載置された原稿を読み取って画像データを取得し、搬送読取として原稿搬送部７によって読取位置に搬送された原稿を読み取って画像データを取得する画像読取部６とを備える。原稿搬送部７は、読取位置へ搬送される原稿の重送を検知する重送検知部４１を備える。原稿読取装置５は、複数の原稿の搬送読取を実行中に、重送検知部４１が原稿の重送を検知した場合、搬送読取を停止して、重送が検知された重送原稿について載置読取による再読取を実行可能にし、重送原稿について載置読取による再読取が実行された場合、重送原稿について載置読取で取得した画像データを複数の原稿のスキャン動作結果に適用する。【選択図】図２
2020108097.tif 000002
【特許請求の範囲】
【請求項１】
原稿が載置される原稿台と、
所定の読取位置へ前記原稿を搬送する原稿搬送部と、
載置読取として、前記原稿台に載置された前記原稿を読み取って画像データを取得し、搬送読取として、前記原稿搬送部によって前記読取位置に搬送された前記原稿を読み取って前記画像データを取得する画像読取部と、を備え、
前記原稿搬送部は、前記読取位置へ搬送される前記原稿の重送を検知する重送検知部を備え、
複数の前記原稿の前記搬送読取を実行中に、前記重送検知部が前記原稿の重送を検知した場合、前記搬送読取を停止して、重送が検知された重送原稿について前記載置読取による再読取を実行可能にし、
前記重送原稿について前記載置読取による再読取が実行された場合、前記重送原稿について前記載置読取で取得した前記画像データを複数の前記原稿のスキャン動作結果に適用することを特徴とする原稿読取装置。
【請求項２】
ユーザーの操作を受け付ける操作部を更に備え、
複数の前記原稿の前記搬送読取を実行中に、前記重送検知部が前記原稿の重送を検知した場合、前記搬送読取を停止して、重送が検知された前記重送原稿について前記載置読取及び前記搬送読取の何れかによる再読取のユーザー選択を前記操作部の操作に応じて入力し、
前記ユーザー選択に応じて、前記重送原稿について前記載置読取又は前記搬送読取を実行し、その後、前記重送原稿に後続する原稿について前記搬送読取を継続することを特徴とする請求項１に記載の原稿読取装置。
【請求項３】
前記載置読取による再読取の前記ユーザー選択が入力された場合、前記原稿搬送部の供給トレイにおける前記原稿の載置に拘らず、前記原稿台に載置された前記原稿に対する前記載置読取を優先的に実行することを特徴とする請求項２に記載の原稿読取装置。
【請求項４】
画像を形成する画像形成部と、
請求項１〜３の何れか１項に記載の原稿読取装置と、
を備えることを特徴とする画像形成装置。
【発明の詳細な説明】
【技術分野】
【０００１】
本発明は、原稿搬送及び画像読取等のスキャン動作を行う原稿読取装置及びこの原稿読取装置を備える画像形成装置に関する。
【背景技術】
【０００２】
複合機等の画像形成装置は、原稿搬送及び画像読取等のスキャン動作を行う原稿読取装置を備える。原稿読取装置は、原稿から画像を読み取るスキャナー等の画像読取部と、原稿を一枚ずつ画像読取部へ搬送するための原稿搬送部とを備える。
【０００３】
例えば、特許文献１のシート搬送装置（原稿搬送部）は、重送センサーにより原稿の重送が検知されると、原稿の搬送及び読取を中断し、搬送路中の原稿が原稿トレイに載置し直されると、重送検知を無効にしてジョブを再開させるか、重送検知有効にしたままジョブを再開させるかを利用者に選択させるための画面を表示する。
【先行技術文献】
【特許文献】
【０００４】
【特許文献１】特開２０１７−５２５９３号公報
【発明の概要】
【発明が解決しようとする課題】
【０００５】
従来、原稿読取装置では、原稿が重送されると、重なった状態で原稿の画像が読み取られ、画像が欠落することもあるので、原稿の重なりを重送として検知した場合に、原稿搬送及び画像読取等のスキャン動作を停止する。上記した原稿搬送部では、原稿の重送を検知したとき、その原稿から画像を読み取らないので、重送が検知された原稿についてジョブを再開し、即ち、スキャン動作をやり直している。また、スキャン動作がやり直される際に原稿の重送を検知するか否かの設定を可能にしている。
【０００６】
ところで、付箋や写真、書類等の添付物を貼り付けたままで原稿のスキャン動作を行うことがあるが、従来の原稿読取装置は、原稿に貼られた添付物を重送として検知してしまう。原稿に貼られた添付物の重送検知を回避するためには、上記したように、重送検知を無効に設定するか、あるいは原稿から添付物を外す必要がある。重送検知を無効に設定すると、原稿に貼られた添付物は重送として検知されなくなるが、２枚以上の原稿の重送が生じた場合に、この重送を検知することができなくなる。また、添付物が貼られた状態の原稿について画像が所望される場合には、原稿から添付物を外すことができない。
【０００７】
そこで、本発明は上記事情を考慮し、複数の原稿のスキャン動作において重送を検知された原稿の画像読取を適切に行うことを目的とするものである。
【課題を解決するための手段】
【０００８】
上記した目的を達成するため、本発明の原稿読取装置は、原稿が載置される原稿台と、所定の読取位置へ前記原稿を搬送する原稿搬送部と、載置読取として、前記原稿台に載置された前記原稿を読み取って画像データを取得し、搬送読取として、前記原稿搬送部によって前記読取位置に搬送された前記原稿を読み取って前記画像データを取得する画像読取部と、を備え、前記原稿搬送部は、前記読取位置へ搬送される前記原稿の重送を検知する重送検知部を備え、複数の前記原稿の前記搬送読取を実行中に、前記重送検知部が前記原稿の重送を検知した場合、前記搬送読取を停止して、重送が検知された重送原稿について前記載置読取による再読取を実行可能にし、前記重送原稿について前記載置読取による再読取が実行された場合、前記重送原稿について前記載置読取で取得した前記画像データを複数の前記原稿のスキャン動作結果に適用することを特徴とする。
【０００９】
上記の原稿読取装置は、ユーザーの操作を受け付ける操作部を更に備え、複数の前記原稿の前記搬送読取を実行中に、前記重送検知部が前記原稿の重送を検知した場合、前記搬送読取を停止して、重送が検知された前記重送原稿について前記載置読取及び前記搬送読取の何れかによる再読取のユーザー選択を前記操作部の操作に応じて入力し、前記ユーザー選択に応じて、前記重送原稿について前記載置読取又は前記搬送読取を実行し、その後、前記重送原稿に後続する原稿について前記搬送読取を継続するとよい。
【００１０】
また、上記の原稿読取装置は、前記載置読取による再読取の前記ユーザー選択が入力された場合、前記原稿搬送部の供給トレイにおける前記原稿の載置に拘らず、前記原稿台に載置された前記原稿に対する前記載置読取を優先的に実行してもよい。
【００１１】
また、本発明の画像形成装置は、画像を形成する画像形成部と、上記の原稿読取装置と、を備えることを特徴とする。
【発明の効果】
【００１２】
本発明によれば、複数の原稿のスキャン動作において重送を検知された原稿の画像読取を適切に行うことができる。
【図面の簡単な説明】
【００１３】
【図１】本発明の実施形態に係る複合機を示す断面図である。
【図２】本発明の実施形態に係る複合機の原稿読取装置を示す断面図である。
【図３】本発明の実施形態に係る複合機の電気的な構成を示すブロック図である。
【図４】本発明の実施形態に係る複合機において、スキャン動作を示すフローチャートである。
【図５】本発明の実施形態に係る複合機において、スキャン動作に用いられる複数の原稿の例を示す概要図である。
【図６】本発明の実施形態に係る複合機において、スキャン動作に用いられる複数の原稿及びこれらの原稿から得られた画像データの例を示す概要図である。
【図７】本発明の実施形態に係る複合機において、重送原稿の再読取の選択時の問合せ画面の例を示す平面図である。
【図８】本発明の実施形態に係る複合機において、スキャン動作に用いられる複数の原稿及びこれらの原稿から得られた画像データの例を示す概要図である。
【図９】本発明の実施形態に係る複合機において、後続原稿の搬送読取の再開時の問合せ画面の例を示す平面図である。
【図１０】本発明の実施形態に係る複合機において、スキャン動作に用いられる複数の原稿及びこれらの原稿から得られた画像データの例を示す概要図である。
【発明を実施するための形態】
【００１４】
先ず、本発明の実施形態に係る複合機１（画像形成装置）の全体の構成について図１を参照しながら説明する。以下、説明の便宜上、図１における紙面手前側を複合機１の前側とする。各図に適宜付される矢印Ｌ、Ｒ、Ｕ、Ｌｏは、それぞれ複合機１の左側、右側、上側、下側を示す。
【００１５】
複合機１は、略箱型状の装置本体２を備える。装置本体２内の下部には画像形成に用いる用紙を収納する複数の給紙カセット３が設けられる。装置本体２の上部の胴内空間には、排紙トレイ４が設けられる。
【００１６】
装置本体２の上部には、原稿搬送及び画像読取等のスキャン動作を行う原稿読取装置５が設けられ、原稿読取装置５は、図１及び図２に示すように、原稿から画像を読み取る画像読取部６と、画像読取部６へ原稿を搬送する原稿搬送部７とを備える。画像読取部６及び原稿搬送部７において、主に左右方向が原稿の搬送方向であり、以下の説明では、この搬送方向を原稿の長さ方向とし、搬送方向に直交する方向を原稿の幅方向とする。画像読取部６及び原稿搬送部７の詳細は後述する。
【００１７】
更に、装置本体２の上部には、操作表示部８（操作部）が正面側に取り付けられる。操作表示部８は、例えば、テンキー、スタートキー、システムメニューキー、送信キー、コピーキー等の操作キー（操作部）と、タッチパネル等の表示器とを備え、ユーザーからの操作入力を受け付ける。
【００１８】
装置本体２の中央部には、像担持体としての中間転写ベルト１０が複数のローラー間に架設される。中間転写ベルト１０の下側には、画像を形成する４つの画像形成部１１がトナーの色（例えば、イエロー、マゼンタ、シアン、ブラックの４色）毎に設けられる。４つの画像形成部１１の下方には、露光部１２が設けられる。中間転写ベルト１０の右端には、二次転写部１３が設けられ、中間転写ベルト１０の左端には、中間転写ベルト１０を清掃するクリーニングユニット１４が設けられる。二次転写部１３は、中間転写ベルト１０の右端側の一部と二次転写ローラーとで構成される。
【００１９】
各画像形成部１１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部１１と対応するトナーコンテナが、トナーの色（例えば、イエロー、マゼンタ、シアン、ブラックの４色）毎に設けられ、各トナーコンテナは、各色のトナーを収容する。
【００２０】
装置本体２の右部には、画像形成に用いる用紙の搬送経路１５が設けられる。搬送経路１５の上流部には、複数の給紙部１６が複数の給紙カセット３毎に設けられる。搬送経路１５の中流部には、上記の二次転写部１３が設けられる。搬送経路１５の下流部には、定着部１７が設けられ、搬送経路１５の下流端には排紙部１８が設けられる。
【００２１】
次に、複合機１の画像形成動作について説明する。複合機１では、画像読取部６や外部のコンピューター等から画像データが入力される。各画像形成部１１では、感光体ドラムが、帯電部によって帯電された後、露光部１２によって画像データに基づいて露光されることで、感光体ドラム上に静電潜像が形成される。感光体ドラム上の静電潜像は、現像部によって各色のトナー像に現像される。感光体ドラム上のトナー像は、一次転写部によって中間転写ベルト１０の表面に一次転写される。以上の動作を４つの画像形成部１１が順次行うことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００２２】
他方、給紙カセット３に収納された用紙は、給紙部１６によって取り出されて搬送経路１５上を搬送される。そして、搬送経路１５上の用紙は、上記の所定の二次転写タイミングで二次転写部１３へ搬送される。二次転写部１３では、中間転写ベルト１０上のカラートナー像が用紙に二次転写される。カラートナー像を二次転写された用紙は、搬送経路１５を下流側へ搬送されて、定着部１７によってカラートナー像が用紙に定着された後、排紙部１８から排紙トレイ４へ排出される。
【００２３】
次に、画像読取部６について説明する。画像読取部６は、装置本体２の胴内空間の上方に配置され、図２に示すように、装置本体２の上面に、原稿台となるプラテンガラス２０と読取スリット２１とを備える。読取スリット２１は、左側に設けられ、プラテンガラス２０は、読取スリット２１の右側に設けられる。また、画像読取部６は、光学走査ユニット２２と、反射ユニット２３と、集光レンズ２４と、ＣＣＤ等の撮像部２５とを備える。
【００２４】
光学走査ユニット２２は、プラテンガラス２０や読取スリット２１の上方の原稿に向かって光を照射する光源２６と、原稿で反射した光を反射ユニット２３に向ける反射ミラー２７とを有する。反射ユニット２３は、複数の反射ミラー２８を有する。光学走査ユニット２２は、主走査方向（前後方向）に長形に形成され、副走査方向（左右方向）に移動可能に設けられる。反射ユニット２３は、原稿から集光レンズ２４までの光路長が常に一定となるように、光学走査ユニット２２の移動に応じて移動するように設けられる。集光レンズ２４及び撮像部２５は、右側に固定される。
【００２５】
画像読取部６において、プラテンガラス２０上に載置された原稿の画像を読み取る載置読取の場合、光学走査ユニット２２は、左側から右方向（副走査方向）へ移動して読取位置をずらしながら原稿から画像を読み取る。このとき、光学走査ユニット２２は、プラテンガラス２０上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、プラテンガラス２０上に載置された原稿を先端から終端まで走査（スキャン）することで画像データを生成する。画像読取部６は、プラテンガラス２０上に載置された原稿を検知する載置原稿センサー２９を備え、載置原稿センサー２９で原稿を検知している場合に載置読取を可能にしてもよい。
【００２６】
また、画像読取部６において、原稿搬送部７から搬送される原稿の画像を読み取る搬送読取の場合、光学走査ユニット２２は、読取スリット２１に対応する位置を読取位置として固定して原稿から画像を読み取る。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する。
【００２７】
なお、原稿搬送部７による原稿の搬送において、後述の重送検知部４１で原稿の重送が検知されたとき、画像読取部６は、その重送された原稿（重送原稿）を読み取って画像データを生成してよいが、その画像データは再読取の際に削除される。あるいは、画像読取部６は、重送原稿について画像の読取や画像データの生成をしなくてもよい。
【００２８】
画像読取部６は、原稿毎に生成した画像データを複合機１の制御部５０（図３参照）へ送信して記憶部５１に記憶する。複合機１や画像読取部６の画像読取の設定条件として、モノクロ画像読取やカラー画像読取が設定されるが、画像読取部６は、カラー画像を読み取って色データ（ＲＧＢデータ）を取得し、モノクロ画像はカラー画像の二値化処理等によって生成される。
【００２９】
次に、原稿搬送部７について説明する。原稿搬送部７は、画像読取部６の上方に配置され、原稿を搬送する機能に加えて、画像読取部６のプラテンガラス２０（装置本体２の上面）を覆うカバー部材として開閉可能に取り付けられる。原稿搬送部７は、プラテンガラス２０に対する開閉を検知する開閉センサー４２を備え、開閉センサー４２で原稿搬送部７の閉塞を検知している場合に画像読取部６による載置読取を可能にしてもよい。
【００３０】
原稿搬送部７は、図２に示すように、画像読取前の原稿が載置される供給トレイ３０と、画像読取後の原稿が排出される排出トレイ３１と、供給トレイ３０上の原稿を、読取スリット２１に対応する読取位置を経由して排出トレイ３１に送り出す搬送機構３２とを備える。搬送機構３２は、読取スリット２１に対応して左側に設けられ、供給トレイ３０は、搬送機構３２の上部から右方に延設され、排出トレイ３１は、搬送機構３２の下部から右方に延設される。
【００３１】
供給トレイ３０は、その右端から搬送機構３２に向かって僅かに下方に傾斜して形成される。供給トレイ３０の上面は、複数の原稿を載置可能な載置面であり、載置面には、原稿の幅方向の位置を規制する一対のガイドが、幅方向にスライド可能に設けられる。原稿搬送部７は、供給トレイ３０上に載置された原稿を検知する搬送原稿センサー４３を備え、搬送原稿センサー４３で原稿を検知している場合に搬送読取を可能にしてもよい。
【００３２】
排出トレイ３１は、装置本体２の上面を覆う原稿搬送部７の基部の上面の一部に形成され、原稿搬送部７の基部は、装置本体２と同径に形成される。
【００３３】
搬送機構３２は、カバー３３によって囲われていて、カバー３３の右面上部には、供給トレイ３０に対応する位置に開口した供給口３４が形成され、カバー３３の右面下部には、排出トレイ３１に対応する位置に開口した排出口３５が形成される。搬送機構３２は、カバー３３の内部に搬送路３６を有し、搬送路３６は、供給口３４から左方に延びて、左側で下方に湾曲し、更に右方に折り返して、読取スリット２１に対応する読取位置を経由し、排出口３５まで延びるように形成される。搬送機構３２は、搬送路３６に沿って、供給ローラー３７と、複数の搬送ローラー３８と、排出ローラー３９と、原稿検知部４０と、重送検知部４１とを備える。
【００３４】
供給ローラー３７は、供給口３４の近傍で回転可能に設けられ、回転することで供給トレイ３０上の原稿を一枚ずつ搬送路３６へ供給する。排出ローラー３９は、排出口３５の近傍で回転可能に設けられ、回転することで搬送路３６から原稿を排出トレイ３１へ排出する。複数の搬送ローラー３８は、搬送路３６において供給ローラー３７と排出ローラー３９との間で、それぞれ間隔を空けて回転可能に設けられる。供給ローラー３７、複数の搬送ローラー３８及び排出ローラー３９は、制御部５０（図３参照）によって制御される駆動部（図示せず）から伝達される回転駆動力によって回転駆動する。
【００３５】
原稿検知部４０は、搬送路３６を搬送される原稿を検知するもので、例えば、発光部と受光部とからなる光センサーで構成される。原稿検知部４０は、検知結果を示す検知信号を出力し、例えば、原稿を検知している場合にはオンの信号を、原稿を検知していない場合にはオフの信号を出力する。原稿検知部４０は、搬送路３６に沿った何れかの位置に設けられ、例えば、搬送路３６において異なる搬送位置でそれぞれ原稿を検知するように、それぞれの搬送位置に複数の原稿検知部４０が配置されてよい。
【００３６】
原稿検知部４０は、原稿搬送部７が原稿の搬送を開始した後、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【００３７】
重送検知部４１は、搬送路３６において供給ローラー３７と読取スリット２１に対応する読取位置との間の所定の位置に設けられる。重送検知部４１は、搬送路３６を搬送される原稿の重なりを重送と検知するもので、例えば、超音波センサー等で構成されてよい。重送検知部４１は、数枚の原稿同士の重なりや、原稿とその原稿に貼り付けた添付物（例えば、付箋や写真、書類等）との重なりを検知し、その検知結果を示す検知信号を出力する。例えば、重送検知部４１は、原稿の重送を検知した場合（図４のステップＳ２：ＹＥＳ）にはオンの信号を、原稿の重送を検知しない場合（図４のステップＳ２：ＮＯ）にはオフの信号を出力する。なお、幅方向に亘って原稿の重送を検知できるように、複数の重送検知部４１が、幅方向においてそれぞれ間隔を空けて配置されてよい。
【００３８】
重送検知部４１は、搬送方向において所定の検知位置で原稿の重送を検知するように配置され、例えば、その検知位置が、読取位置より上流側の原稿検知部４０の検知位置と同じになるように設けられる。そして、重送検知部４１は、原稿搬送部７が原稿の搬送を開始した後、この原稿検知部４０が原稿の先端を検知してから終端を検知するまで、原稿の重送の検知を行う。
【００３９】
次に、上記の複合機１の電気的な構成について図３を参照しながら説明する。複合機１は、ＣＰＵ等からなる制御部５０と、ＲＯＭやＲＡＭ等からなる記憶部５１とを装置本体２の内部に備える。
【００４０】
制御部５０は、記憶部５１に格納された制御プログラムや制御用データに基づいて、制御部５０に接続された各部を制御する。制御部５０は、画像読取部６、原稿搬送部７（センサー）、操作表示部８、画像形成部１１及び露光部１２等の複合機１の各部に接続され、例えば、原稿搬送部７による原稿搬送や画像読取部６による画像読取等のスキャン動作を制御する。また、制御部５０は、記憶部５１に記憶されるプログラムを実行することにより再読取制御部５２として機能する。再読取制御部５２による重送原稿の再読取は、スキャン動作に含まれる。
【００４１】
図４は、スキャン動作を示すフローチャートを示す。１回のジョブのスキャン動作では、原稿搬送部７の供給トレイ３０に載置された１枚以上の原稿（複数の原稿）について、搬送読取として、原稿搬送部７による原稿搬送（図４のステップＳ１）や画像読取部６による画像読取（図４のステップＳ３）が自動的に行われる。
【００４２】
なお、画像読取部６で生成された画像データは順次、記憶部５１に記憶され（図４のステップＳ４）、例えば、原稿の搬送順に記憶されるので、搬送順に基づいて記憶部５１から画像データを取得可能になる。原稿搬送部７は、原稿を搬送する供給ローラー３７や排出ローラー３９の駆動や、搬送される原稿の原稿検知部４０による検知を監視することで、原稿の搬送順を把握することができる。
【００４３】
また、スキャン動作では、複数の原稿の搬送読取において重送検知部４１で重送が検知された重送原稿について（図４のステップＳ２：ＹＥＳ）、再読取制御部５２によって画像読取をやり直す（図４のステップＳ５〜Ｓ１１）。そのため、重送に拘らず、複数の原稿の画像データは、搬送順を変えることなく、記憶部５１に記憶される（図４のステップＳ４）。
【００４４】
スキャン動作で、全ての原稿の画像読取が終了すると、各原稿の画像データをまとめた１つの画像データファイルが生成される。例えば、１枚の原稿を１ページ分の画像データとする場合、原稿の枚数に相当するページ数の画像データファイルが生成される。
【００４５】
次に、再読取制御部５２について説明する。再読取制御部５２は、重送検知部４１の検知信号に基づいて原稿の重送を把握し、また、重送検知部４１の検知位置における原稿の通過を、読取位置より上流側の原稿検知部４０の検知信号に基づいて把握する。
【００４６】
例えば、再読取制御部５２は、原稿の先端が検知位置を通過してからの経過時間を計測し、この経過時間に基づいて、搬送方向（長さ方向）において原稿の先端から検知位置までの距離を算出し、即ち、検知位置に対応する原稿上の長さ方向の位置を算出する。これにより、再読取制御部５２は、原稿上の重送箇所の長さ方向の位置を把握する。また、再読取制御部５２は、幅方向に並べて配置された複数の重送検知部４１の内、何れの重送検知部４１で重送を検知したかに応じて、原稿上の重送箇所の幅方向の位置を把握する。なお、原稿の先端から終端までの間に、重送が長さ方向や幅方向に連続して検知される場合には、再読取制御部５２は、連続する複数の重送を一つの重送として判定してよい。
【００４７】
再読取制御部５２は、原稿搬送部７の供給トレイ３０に載置された複数の原稿について搬送読取が行われている間に、重送検知部４１によって原稿の重送が検知された場合（図４のステップＳ２：ＹＥＳ）、その重送原稿が排出トレイ３１に排出された後、重送原稿に後続する原稿（後続原稿）のスキャン動作を停止する。そして、再読取制御部５２は、後続原稿のスキャン動作の前に重送原稿から画像を読み取るために、重送原稿について載置読取及び搬送読取の何れかによる再読取のユーザー選択を、操作表示部８の操作に応じて入力する。
【００４８】
例えば、再読取制御部５２は、重送原稿について載置読取及び搬送読取のユーザー選択を問い合わせる問合せ画面５３（図７参照）を操作表示部８に表示させる（図４のステップＳ５）。問合せ画面５３では、ユーザー選択を入力可能な入力キー等が表示される。また、問合せ画面５３では、重送原稿の搬送順を、複数の原稿の中での重送原稿のページ数として表示して、再読取の対象となるページ数を示してもよい。なお、重送原稿の画像データが生成されている場合、問合せ画面５３に、その画像データをプレビューとして表示してもよい。
【００４９】
操作表示部８の問合せ画面５３において、重送原稿の載置読取がユーザーに選択された場合（図４のステップＳ６：ＹＥＳ）、再読取制御部５２は、重送原稿のプラテンガラス２０（原稿台）への載置指示を行い、例えば、問合せ画面５３に表示する。このとき、供給トレイ３０には、重送原稿に後続する原稿が載置されていると考えられるので、再読取制御部５２は、重送原稿に後続する原稿を供給トレイ３０から取り除くように問合せ画面５３を介して指示してもよい。
【００５０】
重送原稿がプラテンガラス２０に載置されて（図４のステップＳ７）、載置原稿センサー２９によってプラテンガラス２０上の重送原稿が検知されると共に、原稿搬送部７が閉じられて、開閉センサー４２で原稿搬送部７の閉塞が検知されると、原稿読取装置５は、載置読取を実行可能になる。ここで、操作表示部８のスタートキーが操作されると、画像読取部６は、重送原稿の再読取としてプラテンガラス２０上の重送原稿の画像読取（載置読取）を開始し、重送原稿から画像を読み取って画像データを取得する（図４のステップＳ８）。そして、載置読取が終了すると、再読取制御部５２は、プラテンガラス２０上の重送原稿から取得した画像データをスキャン動作結果に適用して記憶部５１に記憶する（図４のステップＳ４）。
【００５１】
また、操作表示部８の問合せ画面５３において、重送原稿の搬送読取がユーザーに選択された場合（図４のステップＳ６：ＮＯ）、再読取制御部５２は、重送原稿の供給トレイ３０への載置指示を行い、例えば、問合せ画面５３に表示する。このとき、供給トレイ３０には、重送原稿に後続する原稿が載置されていると考えられるので、再読取制御部５２は、重送原稿に後続する原稿を供給トレイ３０から取り除くように問合せ画面５３を介して指示してもよい。
【００５２】
重送原稿が供給トレイ３０に載置されて（図４のステップＳ９）、搬送原稿センサー４３によって供給トレイ３０上の重送原稿が検知されると、原稿読取装置５は、搬送読取を実行可能になる。ここで、操作表示部８のスタートキーが操作されると、原稿搬送部７は、供給トレイ３０上の重送原稿の搬送を開始し、画像読取部６は、重送原稿の再読取として供給トレイ３０から搬送された重送原稿の画像読取（搬送読取）を開始し、重送原稿から画像を読み取って画像データを取得する（図４のステップＳ１０）。そして、搬送読取が終了すると、再読取制御部５２は、供給トレイ３０から搬送された重送原稿から取得した画像データをスキャン動作結果に適用して記憶部５１に記憶する（図４のステップＳ４）。
【００５３】
なお、複数の原稿の画像データは、順次、記憶部５１に記憶されるので、重送原稿の画像データは、重送原稿の前ページに後続するページの画像データとして記憶される。
【００５４】
このようにして重送原稿の再読取が終了すると、再読取制御部５２は、重送原稿に後続する原稿を供給トレイ３０に再載置するように問合せ画面５３を介して指示する。このとき、問合せ画面５３では、重送原稿に後続する原稿のページ数を示してもよい。そして、重送原稿に後続する原稿があれば（図４のステップＳ１１：ＹＥＳ）、操作表示部８のスタートキーの操作に応じて、後続の原稿について元の搬送読取を継続する。
【００５５】
本実施形態によれば、上記したように、原稿読取装置５は、原稿が載置されるプラテンガラス２０（原稿台）と、所定の読取位置へ原稿を搬送する原稿搬送部７と、載置読取として、プラテンガラス２０に載置された原稿を読み取って画像データを取得し、搬送読取として、原稿搬送部７によって読取位置に搬送された原稿を読み取って画像データを取得する画像読取部６と、を備える。原稿搬送部７は、読取位置へ搬送される原稿の重送を検知する重送検知部４１を備える。原稿読取装置５は、複数の原稿の搬送読取を実行中に、重送検知部４１が原稿の重送を検知した場合、搬送読取を停止して、重送が検知された重送原稿について載置読取による再読取を実行可能にし、重送原稿について載置読取による再読取が実行された場合、重送原稿について載置読取で取得した画像データを複数の原稿のスキャン動作結果に適用する。
【００５６】
例えば、複数の原稿の搬送読取を行うとき、付箋や写真、書類等の添付物が貼られた原稿が搬送されると、原稿の重送が検知されるが、この場合、再度の搬送読取において原稿が個々に搬送されても、再度、重送が検知されてしまう。そこで、本実施形態では、重送原稿の再読取を載置読取で行うことによって、添付物が貼られた原稿について、添付物を外す必要がなく、重送が検知されることなく画像読取に成功することができる。また、添付物が貼られた原稿の搬送を何度も再試行する必要がないので、搬送に起因する原稿の痛みを抑制することができる。なお、複数の原稿の搬送読取のスキャン動作結果には、載置読取で取得した画像データが適用されるので、搬送読取で得られた画像データと載置読取で得られた画像データとは、異なるファイルに保存されることなく、同じ画像データファイルに記録される。このように、複数の原稿のスキャン動作において重送を検知された原稿の画像読取を適切に行うことが可能となる。
【００５７】
なお、上記した実施形態では、操作表示部８のスタートキーの操作に応じて重送原稿の再読取を開始する例を説明したが、本発明はこの例に限定されない。例えば、他の実施形態では、再読取制御部５２は、重送原稿の再読取の開始を操作するための再読取開始キーを問合せ画面５３に表示してもよい。
【００５８】
また、本実施形態によれば、原稿読取装置５は、ユーザーの操作を受け付ける操作表示部８（操作部）を更に備え、複数の原稿の搬送読取を実行中に、重送検知部４１が原稿の重送を検知した場合、搬送読取を停止して、重送が検知された重送原稿について載置読取及び搬送読取の何れかによる再読取のユーザー選択を操作表示部８の操作に応じて入力し、ユーザー選択に応じて、重送原稿について載置読取又は搬送読取を実行し、その後、重送原稿に後続する原稿について搬送読取を継続する。
【００５９】
例えば、複数の原稿の搬送読取を行うとき、静電気や湿気により２枚以上の原稿が貼りついて搬送されると、原稿の重送が検知されるが、この場合、再度の搬送読取において原稿が個々に搬送されれば、重送が検知されることなく画像読取に成功することができる。そこで、本実施形態では、重送原稿の再読取について、載置読取と搬送読取とをユーザーに選択可能にしている。これにより、重送検知機能を無効にすることなく、原稿に応じて載置読取と搬送読取とを使い分けて、複数の原稿のスキャン動作を行うことができる。
【００６０】
原稿読取装置５において、図５に示すような全４枚の原稿のスキャン動作を行う例を以下に説明する。この例では、２ページ目の原稿に付箋が貼られていることとする。
【００６１】
先ず、原稿読取装置５では、４枚の原稿が供給トレイ３０にセットされて搬送読取が行われる。図６に示すように、１ページ目の原稿は、重送が生じずに搬送及び画像読取が成功して、１ページ目の原稿に対応する画像データが記憶部５１に記憶される。
【００６２】
２ページ目の原稿は、重送が生じずに搬送されるが、付箋が貼られているので重送検知部４１で重送が検知される。このとき、再読取制御部５２は、この２ページ目の重送原稿が排出トレイ３１に排出された後、後続する３ページ目以降の原稿（後続原稿）のスキャン動作を停止する。そして、再読取制御部５２は、図７に示すように、重送原稿について載置読取及び搬送読取のユーザー選択を問い合わせる問合せ画面５３を操作表示部８に表示させる。
【００６３】
ここで、載置読取が選択され、重送原稿がプラテンガラス２０にセットされて、操作表示部８のスタートキー又は問合せ画面５３の再読取開始キーが操作されると、画像読取部６が、プラテンガラス２０上の重送原稿を読み取って画像データを取得する。これにより、図８に示すように、重送原稿の画像読取が成功して、２ページ目の原稿に対応する画像データが記憶部５１に記憶される。
【００６４】
次に、再読取制御部５２は、図９に示すように、重送原稿に後続する３ページ目以降の原稿を供給トレイ３０にセットするように問合せ画面５３を介して指示する。ここで、後続原稿が供給トレイ３０にセットされて、操作表示部８のスタートキー又は問合せ画面５３の再読取開始キーが操作されると、３ページ目以降の原稿の搬送読取が再開されて、原稿搬送部７によって原稿が搬送されると共に、画像読取部６が原稿を読み取って画像データを取得する。３ページ目以降の原稿には添付物が貼られていないので、重送が生じなければ、図１０に示すように、画像読取が成功して、３ページ目以降の原稿に対応する画像データが記憶部５１に記憶される。
【００６５】
また、上記した実施形態では、再読取制御部５２は、重送原稿に後続する原稿を供給トレイ３０から取り除くように指示する例を説明したが、本発明はこの例に限定されない。例えば、他の実施形態では、再読取制御部５２は、載置読取による再読取のユーザー選択が入力された場合、供給トレイ３０から原稿を取り除く指示をすることなく、原稿搬送部７の供給トレイ３０における原稿の載置に拘らず、プラテンガラス２０に載置された原稿に対する載置読取を優先的に実行してもよい。
【００６６】
これにより、重送原稿の再読取を載置読取で行うとき、重送原稿に後続する原稿を供給トレイ３０から取り除いたり、後続する原稿の搬送読取の継続のために後続する原稿を再度、供給トレイ３０に載置したりする必要がなく、ユーザーの手間を軽減することができる。なお、重送原稿の再読取を搬送読取で行うときには、重送原稿と、後続する原稿とを区別して搬送するため、後続する原稿を供給トレイ３０から取り除く必要がある。
【００６７】
なお、上記の実施形態では、複合機１に備わる制御部５０が原稿読取装置５のスキャン動作を制御する例を説明したが、本発明はこれに限定されず、例えば、更なる実施形態では、原稿読取装置５に備わる他の制御装置がスキャン動作を制御するように構成してもよい。
【００６８】
また、上記の実施形態では、複合機１に備わる操作表示部８にユーザーへの問合せ画面５３を表示する例を説明したが、本発明はこれに限定されず、例えば、更なる実施形態では、原稿読取装置５に備わる他の表示装置に問合せ画面５３を表示するように構成してもよい。
【００６９】
上記実施形態では、原稿読取装置５やこの原稿読取装置５を備える複合機１に本発明の構成を適用する場合について説明したが、他の異なる実施形態では、原稿読取装置５を備える他の画像形成装置（プリンター、複写機、ファクシミリ等）に本発明の構成を適用してもよい。
【符号の説明】
【００７０】
１  複合機（画像形成装置）
５  原稿読取装置
６  画像読取部
７  原稿搬送部
８  操作表示部
１１  画像形成部
３２  搬送機構
３６  搬送路
４０  原稿検知部
４１  重送検知部
５０  制御部
５１  記憶部
５２  再読取制御部
５３  問合せ画面
【図１】
2020108097.tif 000003
【図２】
2020108097.tif 000004
【図３】
2020108097.tif 000005
【図４】
2020108097.tif 000006
【図５】
2020108097.tif 000007
【図６】
2020108097.tif 000008
【図７】
2020108097.tif 000009
【図８】
2020108097.tif 000010
【図９】
2020108097.tif 000011
【図１０】
2020108097.tif 000012
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
原稿が載置される原稿台と、
所定の読取位置へ前記原稿を搬送する原稿搬送部と、
載置読取として、前記原稿台に載置された前記原稿を読み取って画像データを取得し、搬送読取として、前記原稿搬送部によって前記読取位置に搬送された前記原稿を読み取って前記画像データを取得する画像読取部と、
前記読取位置へ搬送される前記原稿の重送を検知する重送検知部と、
複数の前記原稿の前記搬送読取を実行中に、前記重送検知部が前記原稿の重送を検知した場合、前記搬送読取を停止して、重送が検知された重送原稿について前記載置読取による再読取を実行可能にし、
前記重送原稿について前記載置読取による再読取が実行された場合、前記重送原稿について前記載置読取で取得した前記画像データを複数の前記原稿のスキャン動作結果に適用する制御部と、を備えることを特徴とする原稿読取装置。
【請求項２】
ユーザーの操作を受け付ける操作部を更に備え、
前記制御部は、複数の前記原稿の前記搬送読取を実行中に、前記重送検知部が前記原稿の重送を検知した場合、前記搬送読取を停止して、重送が検知された前記重送原稿について前記載置読取及び前記搬送読取の何れかによる再読取のユーザー選択を前記操作部の操作に応じて入力し、
前記ユーザー選択に応じて、前記重送原稿について前記載置読取又は前記搬送読取を実行し、その後、前記重送原稿に後続する原稿について前記搬送読取を継続することを特徴とする請求項１に記載の原稿読取装置。
【請求項３】
前記制御部は、前記載置読取による再読取の前記ユーザー選択が入力された場合、前記原稿搬送部の供給トレイにおける前記原稿の載置に拘らず、前記原稿台に載置された前記原稿に対する前記載置読取を優先的に実行することを特徴とする請求項２に記載の原稿読取装置。
【請求項４】
画像を形成する画像形成部と、
請求項１〜３の何れか１項に記載の原稿読取装置と、
を備えることを特徴とする画像形成装置。
【手続補正２】
【補正対象書類名】明細書
【補正対象項目名】０００８
【補正方法】変更
【補正の内容】
【０００８】
上記した目的を達成するため、本発明の原稿読取装置は、原稿が載置される原稿台と、所定の読取位置へ前記原稿を搬送する原稿搬送部と、載置読取として、前記原稿台に載置された前記原稿を読み取って画像データを取得し、搬送読取として、前記原稿搬送部によって前記読取位置に搬送された前記原稿を読み取って前記画像データを取得する画像読取部と、前記読取位置へ搬送される前記原稿の重送を検知する重送検知部と、複数の前記原稿の前記搬送読取を実行中に、前記重送検知部が前記原稿の重送を検知した場合、前記搬送読取を停止して、重送が検知された重送原稿について前記載置読取による再読取を実行可能にし、前記重送原稿について前記載置読取による再読取が実行された場合、前記重送原稿について前記載置読取で取得した前記画像データを複数の前記原稿のスキャン動作結果に適用する制御部と、を備えることを特徴とする。
【手続補正３】
【補正対象書類名】明細書
【補正対象項目名】０００９
【補正方法】変更
【補正の内容】
【０００９】
上記の原稿読取装置は、ユーザーの操作を受け付ける操作部を更に備え、前記制御部は、複数の前記原稿の前記搬送読取を実行中に、前記重送検知部が前記原稿の重送を検知した場合、前記搬送読取を停止して、重送が検知された前記重送原稿について前記載置読取及び前記搬送読取の何れかによる再読取のユーザー選択を前記操作部の操作に応じて入力し、前記ユーザー選択に応じて、前記重送原稿について前記載置読取又は前記搬送読取を実行し、その後、前記重送原稿に後続する原稿について前記搬送読取を継続するとよい。
【手続補正４】
【補正対象書類名】明細書
【補正対象項目名】００１０
【補正方法】変更
【補正の内容】
【００１０】
また、上記の原稿読取装置において、前記制御部は、は、前記載置読取による再読取の前記ユーザー選択が入力された場合、前記原稿搬送部の供給トレイにおける前記原稿の載置に拘らず、前記原稿台に載置された前記原稿に対する前記載置読取を優先的に実行してもよい。
【手続補正５】
【補正対象書類名】明細書
【補正対象項目名】００４６
【補正方法】変更
【補正の内容】
【００４６】
例えば、再読取制御部５２は、原稿の先端が重送検知部４１の検知位置を通過してからの経過時間を計測し、この経過時間に基づいて、搬送方向（長さ方向）において原稿の先端から検知位置までの距離を算出し、即ち、重送検知部４１の検知位置に対応する原稿上の長さ方向の位置を算出する。これにより、再読取制御部５２は、原稿上の重送箇所の長さ方向の位置を把握する。また、再読取制御部５２は、幅方向に並べて配置された複数の重送検知部４１の内、何れの重送検知部４１で重送を検知したかに応じて、原稿上の重送箇所の幅方向の位置を把握する。なお、原稿の先端から終端までの間に、重送が長さ方向や幅方向に連続して検知される場合には、再読取制御部５２は、連続する複数の重送を一つの重送として判定してよい。
【手続補正６】
【補正対象書類名】明細書
【補正対象項目名】００５５
【補正方法】変更
【補正の内容】
【００５５】
本実施形態によれば、上記したように、原稿読取装置５は、原稿が載置されるプラテンガラス２０（原稿台）と、所定の読取位置へ原稿を搬送する原稿搬送部７と、載置読取として、プラテンガラス２０に載置された原稿を読み取って画像データを取得し、搬送読取として、原稿搬送部７によって読取位置に搬送された原稿を読み取って画像データを取得する画像読取部６と、読取位置へ搬送される原稿の重送を検知する重送検知部４１と、複数の原稿の搬送読取を実行中に、重送検知部４１が原稿の重送を検知した場合、搬送読取を停止して、重送が検知された重送原稿について載置読取による再読取を実行可能にし、重送原稿について載置読取による再読取が実行された場合、重送原稿について載置読取で取得した画像データを複数の原稿のスキャン動作結果に適用する再読取制御部５２（制御部５０）と、を備える。
【手続補正７】
【補正対象書類名】明細書
【補正対象項目名】００５８
【補正方法】変更
【補正の内容】
【００５８】
また、本実施形態によれば、原稿読取装置５は、ユーザーの操作を受け付ける操作表示部８（操作部）を更に備え、再読取制御部５２（制御部５０）は、複数の原稿の搬送読取を実行中に、重送検知部４１が原稿の重送を検知した場合、搬送読取を停止して、重送が検知された重送原稿について載置読取及び搬送読取の何れかによる再読取のユーザー選択を操作表示部８の操作に応じて入力し、ユーザー選択に応じて、重送原稿について載置読取又は搬送読取を実行し、その後、重送原稿に後続する原稿について搬送読取を継続する。
【手続補正８】
【補正対象書類名】明細書
【補正対象項目名】００６５
【補正方法】変更
【補正の内容】
【００６５】
また、上記した実施形態では、再読取制御部５２は、重送原稿に後続する原稿を供給トレイ３０から取り除くように指示する例を説明したが、本発明はこの例に限定されない。例えば、他の実施形態では、再読取制御部５２（制御部５０）は、載置読取による再読取のユーザー選択が入力された場合、供給トレイ３０から原稿を取り除く指示をすることなく、原稿搬送部７の供給トレイ３０における原稿の載置に拘らず、プラテンガラス２０に載置された原稿に対する載置読取を優先的に実行してもよい。